(57)【特許請求の範囲】
【請求項１】
遊技機器を収容した筐体と、該筐体の前面に設けられる不透明な前扉とを備え、前記筐体又は前記前扉の前方から視認可能な領域に、前後貫通する窓領域を形成し、当該窓領域に透明窓部を形成する前面板を有する窓部材を取り付け、当該窓部材の前記前面板の裏面に、左右長及び上下長が、前記窓領域の左右長及び上下長より長い、証紙シールを貼付した遊技機において、
前記窓部材の前記前面板における前記窓領域の周縁より外側の裏面に、前記前面板の裏面よりも後方に突出し、前記証紙シールの周縁を突当てることにより前記証紙シールの位置決めを可能にする突当て凸部と、当該突当て凸部と前記窓領域の周縁との間にあって、前記前面板の裏面に対して直角に切り込まれて形成され、前記証紙シールよりも小さい小証紙シールの端縁を突当てることにより前記小証紙シールの位置決めを可能にする切込部、及びその底部から前記窓領域の周縁へ向けて前記前面板の裏面に対して凹みが漸減するよう傾斜し、前記小証紙シールの端縁近傍の表面が添付可能な傾斜部により形成される突当て凹部とを形成したことを特徴とする遊技機。
【請求項２】
遊技機器を収容した筐体と、該筐体の前面に設けられる不透明な前扉とを備え、前記筐体又は前記前扉の前方から視認可能な領域に、前後貫通する窓領域を形成し、当該窓領域に透明窓部を形成する前面板を有する窓部材を取り付け、当該窓部材の前記前面板の裏面に、左右長及び上下長が、前記窓領域の左右長及び上下長より長い、証紙シールを貼付した遊技機において、
前記窓部材の前記前面板における前記窓領域の周縁より外側の裏面に、前記前面板の裏面に対して直角に切り込まれて形成され、前記証紙シールの端縁を突当てることにより前記証紙シールの位置決めを可能にする切込部、及びその底部から前記窓領域の周縁へ向けて前記前面板の裏面に対して凹みが漸減するよう傾斜し、前記証紙シールの端縁近傍の表面が添付可能な傾斜部により形成される複数の突当て凹部を形成したことを特徴とする遊技機。
特徴とする遊技機。
【請求項３】
遊技機器を収容した筐体と、該筐体の前面に設けられる不透明な前扉とを備え、前記筐体又は前記前扉の前方から視認可能な領域に、前後貫通する窓領域を形成し、当該窓領域に透明窓部を形成する前面板を有する窓部材を取り付け、当該窓部材の前記前面板の裏面に、左右長及び上下長が、前記窓領域の左右長及び上下長より長い、証紙シールを貼付した遊技機において、
前記窓部材は、前記前面板における前記窓領域の周縁より外側の裏面に、前記前面板の裏面よりも後方に突出する後向き折曲部を有し、当該後向き折曲部と前記前面板との隅部、及び当該隅部と前記窓領域の周縁との間に、前記証紙シールの端縁を突当てることにより前記証紙シールの位置決めを可能にする切込部、及びその底部から前記窓領域の周縁へ向けて前記前面板の裏面に対して凹みが漸減するよう傾斜し、前記証紙シールの端縁近傍の表面が添付可能な傾斜部により形成される突当て凹部をそれぞれ形成したことを特徴とする遊技機。
【請求項４】
前記突当て凸部は、前記証紙シールの角部を位置決めする正面視直角な隅部を形成していることを特徴とする請求項１に記載の遊技機。
【発明の詳細な説明】
【技術分野】
【０００１】
本発明は、筐体前面における透明窓に、複数のサイズの異なるシールを貼付可能とした遊技機に関する。
【背景技術】
【０００２】
パチスロ等の遊技機では、識別シール、証明シール、特許許諾シールなどの貼付が法令で義務付けられ、筐体前面から容易に確認できるように貼付する必要がある。これらの証紙シールは、遊技機の下パネルの図柄デザインの一部に証紙の必要な部分が露出するように、透明窓を開け、パネル裏面から貼付する方法が用いられていた。しかし近年下パネルの図柄デザインの自由度を上げるため、パネル以外の筐体に直接透明窓を設け、証紙シールをその部分に裏面から貼付する方法も用いられるようになった。下パネルより下の筐体（前扉）部分はスペースが少なく、通常透明窓は下パネルとメダル受皿の間に設けられる。
【０００３】
前記証紙シールの透明窓面への貼付は強力な接着剤を使用して行われるため、証紙シールが破損した場合あるいは証紙シールを他の証紙シールと交換する場合には、証紙シールを円滑に透明窓内面から剥離させることができなくなる。このような欠点を解消するために、証紙シールと透明窓内面間に補助シールを存在させて証紙シールの透明窓内面から円滑に剥離させる技術が特許文献１に開示されている。  
【特許文献１】特開２００５−５２３０３号公報
【発明の開示】
【発明が解決しようとする課題】
【０００４】
証紙シールの透明窓内面への貼付に関しては、証紙シールの剥離の困難性以外に、前面から透明窓を見た場合に、貼付された証紙シールがバランス良く、表示内容が表面より見て欠損することなく、透明窓に収められている必要があるという問題がある。証紙シールは各認定団体から支給され、通常表糊であり、多くの場合２枚の証紙シールが遊技機の前扉の左右１対の透明窓に遊技機内面から貼付される。
【０００５】
証紙シールをパネルやパネル以外の筐体に貼付する場合、樹脂成形品である透明窓の内側に直接貼付することが多く、前記した通り２枚以上、通常は２枚の証紙シールを貼付することが殆どで、遊技機には通常２個の透明窓が筐体の左右に離れて存在している。このような場合には、同一構造の透明窓を使用することが有利である。
【０００６】
証紙シールを貼付する場合、貼付位置を一定にするため、貼付の目安となる基準線を形成することがあり、この基準線として印刷したラインが使用されることがある。しかし基準線形成よりも、貼付面に段差を付けた、いわゆる「突当て」部を設け、この突当て部に証紙シールの端部を当接させて位置決めをして貼付することで効率が高い作業を行うことができる。
【０００７】
証紙シールのサイズが一定であるならば、この突当て部の使用は効果的であるが、実際には前述した通り、各シールのサイズは様々である。従って同じ突当て部に証紙シールの一端を当てて貼付位置を特定すると、透明窓から外側に露出する部分がずれてしまい、表示必要領域が前扉で隠れてしまうことがある。
【０００８】
この状況を図１０〜図１３に基づいて説明する。
図１０Ａ及び図１０Ｂに示すように、２枚の証紙シールである、シール大１とシール小２はその中央に同一形状の表示必要領域３を有している。
図１１の横断面図に示すように、下パネルより下方の前扉４に、左右１対の後向きの突出部５を設け、前扉４内面と突出部５内側面に接触するように、窓部材６が設置されている。両突出部５の間の前扉４に前後方向の通孔状の窓領域用通孔７を開口し、この通孔７後部側の前扉４と突出部５の交差部に相当する前記窓部材６の後部側面に、突当て凸部８を形成している。
【０００９】
シール大１は、まず、窓部材６の突当て凸部８の内側面の基端部に、その周縁部のみを当接させ、次いで周縁以外を窓部材６の裏面に貼付する。窓部材６のサイズや窓領域用通孔７の位置は、シール大１の表示必要領域３が、図１２Ａに示すように、通孔７の中央にバランス良く収まるように設定されている。
しかし、シール小２の場合は、その周縁のみ窓部材６の突当て凸部８の内側面の基端部に当接させ、次いで周縁以外を窓部材６の裏面に貼付すると、図１２Ｂのように、表示必要領域３が窓領域用通孔７内にバランス良く収まらず、場合によっては表示必要領域３の一部が前扉４と重なって前面側から視認できなくなる。
なお図１２では、窓部材６の裏面にシール大１を貼付し、次いでその上にシール小２を貼付しているが、実際にはこのように貼付することはなく、図１１はサイズが異なるシールを窓部材４の裏面に貼付する際の問題点を明らかにすることを意図している。
【００１０】
このような欠点を解消するために、図１３に示すように、突当て凸部８Ａ、８Ｂを２段にわたって階段状に形成し、外側の突当て凸部８Ａにシール大１を、内側の突当て凸部８Ｂにシール小２を、突当てて貼付することも可能であるが、図示の通り、外側の突当て凸部８Ａに突当たるシール大１が突当て凸部８Ｂに乗り上げてしまい、前面から見た場合、表示必要領域が前扉で隠れるため、美観上及び貼付精度上、問題がある。
【００１１】
本発明は、上述のような課題に鑑み、異なったサイズの複数の証紙シールの中の１枚を、筐体を貫通して形成される窓領域用通孔に対して、バランス良く貼付できる遊技機を提供することを目的とする。
【課題を解決するための手段】
【００１２】
本発明によると、上記課題は、次のようにして解決される。
（１）遊技機器を収容した筐体と、該筐体の前面に設けられる不透明な前扉とを備え、前記筐体又は前記前扉の前方から視認可能な領域に、前後貫通する窓領域を形成し、当該窓領域に透明窓部を形成する前面板を有する窓部材を取り付け、当該窓部材の前記前面板の裏面に、左右長及び上下長が、前記窓領域の左右長及び上下長より長い、証紙シールを貼付した遊技機において、前記窓部材の前記前面板における前記窓領域の周縁より外側の裏面に、前記前面板の裏面よりも後方に突出し、前記証紙シールの周縁を突当てることにより前記証紙シールの位置決めを可能にする突当て凸部と、当該突当て凸部と前記窓領域の周縁との間にあって、前記前面板の裏面に対して直角に切り込まれて形成され、前記証紙シールよりも小さい小証紙シールの端縁を突当てることにより前記小証紙シールの位置決めを可能にする切込部、及びその底部から前記窓領域の周縁へ向けて前記前面板の裏面に対して凹みが漸減するよう傾斜し、前記小証紙シールの端縁近傍の表面が添付可能な傾斜部により形成される突当て凹部とを形成する。
【００１３】
（２）遊技機器を収容した筐体と、該筐体の前面に設けられる不透明な前扉とを備え、前記筐体又は前記前扉の前方から視認可能な領域に、前後貫通する窓領域を形成し、当該窓領域に透明窓部を形成する前面板を有する窓部材を取り付け、当該窓部材の前記前面板の裏面に、左右長及び上下長が、前記窓領域の左右長及び上下長より長い、証紙シールを貼付した遊技機において、前記窓部材の前記前面板における前記窓領域の周縁より外側の裏面に、前記前面板の裏面に対して直角に切り込まれて形成され、前記証紙シールの端縁を突当てることにより前記証紙シールの位置決めを可能にする切込部、及びその底部から前記窓領域の周縁へ向けて前記前面板の裏面に対して凹みが漸減するよう傾斜し、前記証紙シールの端縁近傍の表面が添付可能な傾斜部により形成される複数の突当て凹部を形成する。
【００１４】
（３）遊技機器を収容した筐体と、該筐体の前面に設けられる不透明な前扉とを備え、前記筐体又は前記前扉の前方から視認可能な領域に、前後貫通する窓領域を形成し、当該窓領域に透明窓部を形成する前面板を有する窓部材を取り付け、当該窓部材の前記前面板の裏面に、左右長及び上下長が、前記窓領域の左右長及び上下長より長い、証紙シールを貼付した遊技機において、前記窓部材は、前記前面板における前記窓領域の周縁より外側の裏面に、前記前面板の裏面よりも後方に突出する後向き折曲部を有し、当該後向き折曲部と前記前面板との隅部、及び当該隅部と前記窓領域の周縁との間に、前記証紙シールの端縁を突当てることにより前記証紙シールの位置決めを可能にする切込部、及びその底部から前記窓領域の周縁へ向けて前記前面板の裏面に対して凹みが漸減するよう傾斜し、前記証紙シールの端縁近傍の表面が添付可能な傾斜部により形成される突当て凹部をそれぞれ形成する。
【００１５】
（４）上記(１)項において、前記突当て凸部は、前記証紙シールの角部を位置決めする正面視直角な隅部を形成している。
【発明の効果】
【００１６】
本発明によると、次のような効果を奏することができる。
請求項１記載の発明では、窓領域の周縁より外側の窓部材裏面に、突当て凸部を形成し、複数の寸法の異なる証紙シールのうち、最大の証紙シールを貼付する際に、この突当て凸部にこの証紙シールの周縁を当接させて位置決めを行い、位置決め後に周縁以外の部分を貼付することにより、証紙シール全体をバランス良く貼付できる。また、最大寸法の証紙シールより小さい証紙シールを貼付する場合には、それぞれに対応する突当て凹部の切込部に証紙シールの周縁を当接させて、後は同様にして証紙シールを貼付できる。前記突当て凹部の位置を各証紙シールに対応して形成しておくと、いずれの証紙シールの場合にもバランス良く貼付できる。
【００１７】
請求項２記載の発明によると、請求項１における突当て凸部が不要になるため、
窓部材の構造が簡単になる。
【００１８】
請求項３記載の発明によると、請求項１における突当て凸部が不要になり、突当て凸部に相当する個所に、突当て凹部を形成するだけであるため、窓部材の構造が簡単になる。
【００１９】
請求項４記載の発明によると、シールの左右方向の位置決めだけでなく、上下方向の位置決めも行うことができ、二次元的に正確な位置決めができる。
【発明を実施するための最良の形態】
【００２０】
次に、本発明に係る遊技機の好ましい実施例を、添付図面に基づいて説明するが、これは本発明を限定するものではない。
図１は、本発明の第１実施例に係る遊技機（パチスロ又はスロットマシン）の正面図、図２は、図１の遊技機の概略縦断面図、図３は、シール大を貼付した際の図１のIII-III線横断面図、図４は、シール小を貼付した際の図１のIII-III線横断面図、図５は、シール大及びシール小を貼付した際の、両シール及び窓部材の位置関係を示す図、図６は、図４の背面図（シートは省略）、図７は、図６の要部の斜視図である。
【００２１】
図１及び図２に示すように、遊技機１１は、前面が開放された筐体１２と、筐体１２の前面に上下方向のヒンジ軸１４により開放自在に支持された前扉１３とを備え、遊技媒体をなすメダルやコインを、前扉１３の前面右部に設けられたメダル投入部１５に投入することによって、ゲームを行うことができる。
【００２２】
筐体１２内には、外周面に描かれた複数の数字、図柄等で構成される識別情報を変動可能な左、中、右３個の回転リール１６及びその他の各種遊技機器が収容されている。
【００２３】
前扉における前面のほぼ中央には、各回転リール１６の識別情報を３コマずつ透視可能な識別情報透視窓１７が設けられ、また、識別情報透視窓１７の上方には、前扉１３の裏面側上部に装着された液晶表示ユニットの液晶画面に表示される遊技情報や演出を透視可能な演出情報表示窓１８が設けられている。
【００２４】
前記前扉１３における識別情報透視窓１７の下方には、前述のメダル投入部１５、メダルをゲームに投資するときに操作されるベットスイッチボタン１９、各回転リール１６を回転させるときに操作されるスタートスイッチレバー２０、各回転リール１６の回転を停止させるときに操作される３個のストップスイッチボタン２１、遊技店の係員が所持しているキーによって操作可能なキーシリンダ２２が配設されている。
【００２５】
前記前扉１３は、ストップスイッチボタン２１を押しやすくするために前方に膨出し、その膨出部の下部には、装飾が施された下パネル２３が設置されている。下パネル２３の下方で、前記前扉１３は後方に向けて凹入され、その左右両端近傍に、前扉１３を貫通するように、窓領域用通孔２４（窓領域）が形成されている。
【００２６】
図３及び図４の横断面図に示すように、下パネル２３より下方の前扉１３に、左右１対の後向きの突出部２５を設け、前扉１３内面と突出部２５内側面に接触するように、窓部材２６が設置されている。この窓部材２６の少なくとも窓領域用通孔２４に対応する部分は透明な材料で形成された透明窓部を構成し、更に前記窓部材２６は、透明窓部を有する前面板２６Ａとこの前面板２６Ａの両端から後向きに連設された後向き折曲部２６Ｂから成っている。
【００２７】
図６に示すように、前記窓部材２６の前面板２６Ａの裏面と左側（図３、４おいて左側、図６において右側）の後向き折曲部２６Ｂとの隅部に、後方へ突出する突当て凸部２７が形成され、その上端には、正面視直角に折曲され、後向き折曲部２６Ｂと一体になるように位置決め部２７Ａが連設され、後向き折曲部２６Ｂ、突当て凸部２７と位置決め部２７Ａで隅部が形成されている。突当て凸部２７の垂直面２７Ｂと、位置決め部２７Ａの垂直面２７Ｃは、それぞれ後述するシール大の突当て面として機能する。
隅部のやや内方には、前記位置決め部２７Ａの幅よりやや広い平坦部２８Ａを残して、前方にほぼ直角に切り込まれて縦壁状の垂直面２８Ｂが形成され、その垂直面２８Ｂの奥端から後方に湾曲しながら、なだらかに傾斜する傾斜面２８Ｄを有する突当て凹部２８が形成されている。この突当て凹部２８の内側面の湾曲部には、前記縦壁状の垂直面２８Ｂと直交する垂直面２８Ｃが形成されている。これらの両垂直面２８Ｂ、２８Ｃは、それぞれ後述するシール小の突当て面として機能する。
前記突当て凸部２７は前面板２６Ａに対してほぼ直角に延び、かつ前記突当て凹部２８は、前記突当て凸部２７に対して平行に延びている。
本実施形態では垂直面２７Ｃ、２８Ｃを片側に設けたものが示されているが、垂直面２７Ｃ、２８Ｃはシール大、シール小のそれぞれの幅よりわずかに広く設定された間隔をもって両側に設けられていても良い。
【００２８】
突当て凸部２７は、窓部材２６の上下全長に亘って連続的に形成されていることが望ましいが、後述するシール大の周縁を当接させ、位置決めが可能であれば不連続であっても支障はない。突当て凹部２８は、上下全長に亘って完全に連続的に形成される必要はないが、ある長さに亘って連続的に形成され、後述するシール小の周縁を当接させ、その位置決めを可能にすることが必要である。更に前記位置決め部２７Ａは突当て凸部２７と連続的に形成される必要はなく、突当て凸部２７から間隔を空けて形成されても良い。
突当て凸部２７と突当て凹部２８は、前記窓領域周縁より外側の窓部材の前面板裏面に形成することが必要であり、それぞれの形成個所は、シール大及びシール小の表示必要領域が窓領域用通孔２４にバランス良く収まるように設定する。
【００２９】
２枚の証紙シールであり、表面側が貼着面である、透明材料に印刷されたシール大２９とシール小３０はその中央に同一形の表示必要領域３１を有している。シール大２９は、まず、窓部材２６の突当て凸部２７の垂直面２７Ｂと垂直面２７Ｃ（図６参照）に、その周縁部のみを当接させて位置決めを行い、次いで周縁以外を窓部材２６の裏面に貼付する。窓部材２６のサイズや窓領域用通孔２４の位置は、前述した突当て凸部２７の形成位置との関連で、シール大２９の表示必要領域３１が、図３に示すように、窓領域用通孔２４の中央にバランス良く収まるように設定されている。従って遊技者が前方から窓領域用通孔２４にバランス良く収まったシール大３０を視認できる。
【００３０】
次いで、シール小３０の場合は、その周縁先端を前記突当て凹部２８の垂直面２８Ｂと垂直面２８Ｃの下縁に突当て、シール小３０を前記突当て凹部２８の傾斜面２８Ｄに沿って、窓部材２６の後面側に、図４に示すように貼付する。前記突当て凹部２８は、シール小３０の左側の周縁が、突当て凹部２８の切込部（垂直面２８Ｂ）に突当たる位置関係にあるときに、その表示必要領域３１が、前記窓領域用通孔２４内の中央にバランス良く収まるように形成されている。従って、シール小３０の左側の周縁の、突当て凹部２８の切込部への当接を確実に行うと、シール小３０も常にバランス良く視認できる。しかもシール小３０が貼付される面には段差がないため、シール小３０を精度良く、かつ体裁良く貼付することができる。
【００３１】
このように本実施例の遊技機では、シール大２９とシール小３０を窓部材２６内面に貼付する際に、周縁の当接個所を突当て凸部２７と突当て凹部２８とに変えるだけで、図５に示すように、両シール２９、３０の表示必要領域３１を一致させることができ、いずれのシール２９、３０を貼付する場合にも、簡単かつ確実に窓領域用通孔２４内方にバランス良く収めることができる。
なお突当て凹部２８のなだらかな傾斜面２８Ｄに貼付されたシール小３０の周縁部には、厳密な意味では視覚的な歪みが生ずるが、前面からは視認することは不可能で、影響はない。更に傾斜面２８Ｄに貼付されたシール小３０の周縁部は変形に伴う応力が発生して、その周縁部を傾斜面から剥れることがあるが、その場合でも他の部分と整合することになり、問題はない。
【００３２】
図８は、本発明の遊技機の第２実施例を示す要部横断面図である。
本実施例では、窓部材２６は前記実施例の突当て凸部２７を有さず、窓部材２６の前面板２６Ａ後面（裏面）と後向き折曲部２６Ｂは直接繋がっている。この窓部材２６の後面の左端からやや内方には、間隔を空けて２個の突当て凹部２８が形成されている。この遊技機に３種類の証紙シールである、シール大２９、シール中３２、シール小３０のいずれかを貼付する際には、シール大２９は、その左端を前面板２６Ａの後面と後向き折曲部２６Ｂとの隅部に当接させ、シール中３２は、その左端を図６の左側の突当て凹部２８の切込部の最深部に当接させ、シール小３０は、その左端を図６の右側の突当て凹部２８の切込部の最深部に当接させることにより、それぞれバランス良く貼付できる。
【００３３】
図９は、本発明の遊技機の第３実施例を示す要部横断面図である。
本実施例では、窓部材２６は前記実施例の突当て凸部２７を有さず、窓部材２６の前面板２６Ａの後面には、前面板２６Ａと後向き折曲部２６Ｂとの隅部を含めて３個の突当て凹部２８が形成されている。この遊技機に３種類の証紙シールである、シール大２９、シール中３２、シール小３０のいずれかを貼付する際には、それぞれ左から順に突当て凹部２８の切込部の最深部に当接させることにより、それぞれバランス良く貼付できる。
【００３４】
第１〜第３実施例では、下パネルより下方の前扉１３に窓部材２６を設置する例を説明したが、窓部材２６は、パネル以外で、窓領域用通孔２４を形成できる前扉１３であって、好ましくは装飾効果を阻害しない任意の個所に設置できる。
【００３５】
前述の実施例では、遊技機としてスロットマシン（パチスロ）を例にとって説明したが、本発明はこれに限定されるものではなく、パチンコ等の他の遊技機にも応用することができる。
【図面の簡単な説明】
【００３６】
【図１】本発明の第１実施例に係る遊技機の正面図。
【図２】図１の遊技機の概略縦断面図。
【図３】シール大を貼付した際の図１のIII-III線横断面図。
【図４】シール小を貼付した際の図１のIII-III線横断面図。
【図５】シール大及びシール小を貼付した際の、両シール、窓部材及び透明窓部の位置関係を示す図。
【図６】図４の背面図。
【図７】図６の要部の斜視図
【図８】本発明の遊技機の第２実施例を示す要部横断面図。
【図９】本発明の遊技機の第３実施例を示す要部横断面図。
【図１０】(Ａ)は、シール大の概略図。(Ｂ)は、シール小の概略図。
【図１１】シール大及びシール小を貼付した従来の遊技機の横断面図。
【図１２】(Ａ)は、従来法で、シール大をバランス良く貼付した例を示す図。(Ｂ)は、従来法で、シール小をバランス良く貼付できない例を示す図。
【図１３】他の従来法とその欠点を示す横断面図。
【符号の説明】
【００３７】
１１  遊技機
１２  筐体
１３  前扉
２３、２３Ａ、２３Ｂ  下パネル
２４  窓領域用通孔
２６  窓部材
２６Ａ  前面板
２６Ｂ  後向き折曲部
２７  突当て凸部
２７Ａ  位置決め部
２７Ｂ、２７Ｃ  垂直面
２８  突当て凹部
２８Ａ  平坦部
２８Ｂ、２８Ｃ  垂直面
２８Ｄ 傾斜面２８Ｄ
２９  シール大
３０  シール小
３１  表示必要領域
３３  内向き傾斜面
【図１】
0005248160.tif 000002
【図２】
0005248160.tif 000003
【図３】
0005248160.tif 000004
【図４】
0005248160.tif 000005
【図５】
0005248160.tif 000006
【図６】
0005248160.tif 000007
【図７】
0005248160.tif 000008
【図８】
0005248160.tif 000009
【図９】
0005248160.tif 000010
【図１０】
0005248160.tif 000011
【図１１】
0005248160.tif 000012
【図１２】
0005248160.tif 000013
【図１３】
0005248160.tif 000014